(57)【特許請求の範囲】
【請求項１】
装置筐体内に上下に配列された２つのユニットを引き出すため、上ユニットベースに固定された前記上ユニットを前記装置筐体内から外部に引き出すために設けられた左右一対のスライドレールと、下ユニットベースに固定された前記下ユニットを前記装置筐体内から外部に引き出すために設けられた左右一対のスライドレールと、前記下ユニットベースに装着されたキャスター付き支持脚とを備えたユニット引き出し構造において、
前記上ユニットベースの左側と前記下ユニットの一対のスライドレールの左側のスライドレールの固定側とを一体化するか、又は、前記上ユニットベースの右側と前記下ユニットの一対のスライドレールの右側のスライドレールの固定側とを一体化し、前記下ユニットの一対のスライドレールの前記上ユニットベースと一体化していないスライドレールの固定側を前記装置筐体に固定したことを特徴とするユニット引き出し構造。
【請求項２】
装置筐体内に上下に配列された２つのユニットを引き出すため、上ユニットベースに固定された前記上ユニットを前記装置筐体内から外部に引き出すために設けられた左右一対のスライドレールと、下ユニットベースに固定された前記下ユニットを前記装置筐体内から外部に引き出すために設けられた左右一対のスライドレールと、前記下ユニットベースに装着されたキャスター付き支持脚とを備えたユニット引き出し構造において、
前記上ユニットベースの左側と右側の各々を前記下ユニットの一対のスライドレールの左右のスライドレールの各々の固定側と一体化するとともに、前記下ユニットの前記装置筐体内からの引き出し長さを、前記上ユニットの全ストローク分の長さより長くなることを規制する規制手段を備えたことを特徴とするユニット引き出し構造。
【請求項３】
前記下ユニットがプリンタユニットであって、前記上ユニットが、前記プリンタユニットに用紙を搬送する用紙搬送ユニットであることを特徴とする請求項１または２記載のユニット引き出し構造。
【発明の詳細な説明】
【０００１】
【発明の属する技術分野】
本発明は、ユニット引き出し構造に関し、特に、装置筐体内にスライドレール等で引き出し可能に上下に搭載された２つのユニットのユニット引き出し構造に関する。
【０００２】
【従来の技術】
装置筐体内に上下に並んで実装される重量の大きいユニットを引き出すにあたって、従来、例えば、図５に示すような構造が採用されていた。
【０００３】
このユニット引き出し構造は、上ユニット５２及び下ユニット５５に、各々のユニット５２、５５を独立して固定するユニットベース５３、５６が設けられ、ユニットベース５３、５６には、引き出し動作を円滑に行うためのスライドレール５４、５７が左右に抱合され、これらスライドレール５４、５７は、装置筐体５１のフレームに固定されている。尚、特開２０００−１３８４６６号公報、及び特開平４−３２３４８０号公報に記載のスライドレールの基本的な取り付け方法も、上記図５に示した構造と略々同様である。
【０００４】
そして、各々のユニットベース５３、５６上にある図示しないロック機構の解除により、図６に示すような下ユニット５５のみの引き出し、図７に示すような上ユニット５２のみの引き出し、図８に示すような上下ユニット５２、５５の同時引き出しが可能となっている。
【０００５】
しかし、上記従来のユニット引き出し構造では、上下ユニット５２、５５が同時に引き出せるが、各々のユニット５２、５５の重量が大きいため、装置全体の重心位置が装置の前方に移動し、装置が前方に転倒する危険性があった。
【０００６】
また、上ユニット５２が下ユニット５５より重い場合には、実装位置も下ユニット５２より高く転倒角の面で不利であるため、下ユニット５５が収納されている状況で上ユニット５２のみを引き出すと、装置の重心位置が前方に移動し、装置が転倒するおそれがある。
【０００７】
尚、下ユニット５５のみを引き出した場合でも、装置が転倒する危険性があるが、下ユニット５５のユニットベースの下面にキャスター付き支持脚を装着して転倒防止処置を施した構造も存在する。
【０００８】
上ユニット５２と下ユニット５５とを同時に引き出した場合の装置の転倒防止構造として、例えば、特開２０００−１３８４６６号公報に記載のユニット引き出し構造が提案されている。このユニット引き出し構造は、図９に示すように、ユニットベース６３等に対して支持脚の取付部にくさび形凸部６８を有する図示しない板ばねを内蔵し、くさび形凸部６８は、支持脚取付前はユニットベース６３の側面から突出し、ユニット６２が引き出された時に、装置筐体６１のフレームに引っ掛かるストッパの役割をする。
【０００９】
そして、支持脚をねじで取り付けることにより、その取り付けねじが内蔵された板ばねを押し、くさび形凸部６８をユニット６２内に押し込むことによって引っ掛かりが解除され、ユニット６２の全ストローク引き出すことができるものもあり、引き出したいユニット６２に一組の支持脚をねじ固定することでユニットの同時引き出しを防止している。
【００１０】
一方、上ユニットと下ユニットとが紙葉類等が通る関係にある構成の場合には、上下のユニット間に搬送ガイドがオーバーラップして突出する構造となるため、下ユニットを先に引き出した後、上ユニットを後から引き出そうとすると、特開平４−３２３４８０号公報に記載の引き出し部ロック機構では、上下ユニットは、同時に引き出されて装置の転倒を防止することができるものの、上ユニットの重量によるスライドレールのたわみを支える方法がなく、上ユニットのスライドレールがたわみ、上ユニットの前方下部と下ユニットの上面が干渉してユニットを破損するという問題がある。特に、突出部分を破損させる場合が多い。逆に、上ユニットを途中まで引き出した後、下ユニットを完全に引き出そうとしても同様の問題があった。
【００１１】
上下ユニット間で紙葉類等が通る関係にある構成では、同時に装置外へ引き出した状態で用紙搬送評価、また双方のユニット間の突出した搬送ガイド間のジャム除去等の保守が必要となり、ジャム除去の方法として、同時に上下ユニットを引き出した後に、上ユニットのみ装置が転倒しない程度まで収納してジャム除去する方法があり、引き出し、収納動作の途中状態の形態が必要であるが、特開平４−３２３４８０号公報に記載の引き出し部ロック機構では、必ず上下どちらかのユニットを引き出し、収納すると同時に２つのユニットが完全に収納されてしまい、双方のユニット間の突出した搬送ガイド間のジャム除去が困難な問題があった。
【００１２】
また、特開平４−３２３４８０号公報に記載の引き出し部ロック機構では、装置の転倒を防止するために上ユニットを引き出すと同時に、床面と接して転倒を防止しているキャスター付きの下ユニットが引き出されるが、各々の引き出し部にロック機構が備えられているため、ロック解除をするリンク機構が複雑になり、部品点数が多くなるという問題があった。
【００１３】
【発明が解決しようとする課題】
上述のように、従来のユニット引き出し構造においては、第１の問題点として、装置筐体内に上下に並んで実装される重量の重いユニットの引出しは、上下ユニットの同時引き出し時、下ユニットが収納している状態で上ユニットのみの引き出し時、及び上ユニットが収納している状態で下ユニットのみの引き出し時のいずれの場合でも、ユニット重量が大きいため、装置の重心が前方に移動し、装置が前方に転倒するおそれがあるという問題があった。
【００１４】
また、第２の問題点として、特開２０００−１３８４６６号公報の場合では、引き出したいユニットに各々キャスター付き支持脚を付け代える必要があり、引き出すのに時間がかかり保守性が悪いという問題があった。
【００１５】
また、第３の問題点として、上下ユニット間で紙葉類が通る構成の場合には、装置外へ上下ユニットを同時に引き出した状態で用紙搬送評価、また特開平４−３２３４８０号公報のように、双方のユニット間の突出した搬送ガイド間のジャム箇所を確認するために、下ユニットを引き出したまま、上ユニットを装置が転倒しない程度まで収納させることができず、ジャム除去等の保守ができないという問題があった。
【００１６】
さらに、第４の問題点として、下ユニットを先に引き出しておいて、後から上ユニットを引き出すと、特開平４−３２３４８０号公報に記載のユニット引き出し構造では、上下ユニットは同時に引き出されて装置の転倒を防止するものの、上ユニットの重量によるスライドレールのたわみを支える方法がなく、上ユニットのスライドレールがたわみ、下ユニットの搬送ガイド部に干渉し破損してしまうという問題があった。逆に上ユニットを先に引き出しておいて、後から下ユニットを引き出しても同様の問題があった。
【００１７】
また、スライドレールのたわみについても、装置の奥行きとほぼ同等のユニット全長で重量の重いユニットを装置筐体外へ引き出すことから、スライドレールの引き出し長さが長くなりたわみやすい。また上下ユニットの搬送ガイドの関係も近接した位置関係にしないと搬送機能が低下するため、スライドレールのたわみ量を考慮した搬送ガイドの隙間を大きく設けていない。
【００１８】
また、第５の問題点として、特開平４−３２３４８０号公報において、装置の転倒を防止するために上ユニットを引き出すと同時に床面と接して転倒を防止しているキャスター付きの下ユニットが引き出される構造は、各々の引き出し部にロック機構が設けられ、ロック解除をするリンク機構が複雑化し、部品点数が多い問題がある。
【００１９】
そこで、本発明は上記従来のユニット引き出し構造における問題点に鑑みてなされたものであって、装置が前方に転倒するおそれがなく、短時間でユニットを引き出すことができ、上下ユニット間で紙葉類が通る構成の場合でもジャム除去等の保守が容易で、上ユニットのスライドレール等の破損を防止することができ、部品点数が少なく簡易な構成を有するユニット引き出し構造を提供することを目的とする。
【００２０】
上記目的を達成するため、請求項１記載の発明は、装置筐体内に上下に配列された２つのユニットを引き出すため、上ユニットベースに固定された前記上ユニットを前記装置筐体内から外部に引き出すために設けられた左右一対のスライドレールと、下ユニットベースに固定された前記下ユニットを前記装置筐体内から外部に引き出すために設けられた左右一対のスライドレールと、前記下ユニットベースに装着されたキャスター付き支持脚とを備えたユニット引き出し構造において、前記上ユニットベースの左側と前記下ユニットの一対のスライドレールの左側のスライドレールの固定側とを一体化するか、又は、前記上ユニットベースの右側と前記下ユニットの一対のスライドレールの右側のスライドレールの固定側とを一体化し、前記下ユニットの一対のスライドレールの前記上ユニットベースと一体化していないスライドレールの固定側を前記装置筐体に固定したことをことを特徴とする。
【００２１】
そして、請求項１記載の発明によれば、前記上ユニットベースの左側と前記下ユニットの一対のスライドレールの左側のスライドレールの固定側とを一体化するか、又は、前記上ユニットベースの右側と前記下ユニットの一対のスライドレールの右側のスライドレールの固定側とを一体化し、前記下ユニットの一対のスライドレールの前記上ユニットベースと一体化していないスライドレールの固定側を前記装置筐体に固定したことにより、上ユニットのみの引き出しが不可となるため、従来のような上ユニットのみが引き出されることによる装置筐体の転倒を防止することができるとともに、上ユニットを引き出すと下ユニットも同時に引き出され、下ユニットベースにキャスター付き支持脚を有しているため、上下ユニットを同時に引き出した場合でも装置筐体の転倒を防止することができる。
【００２２】
また、上ユニットベースに上下のスライドレールが固定され、スライドレールの高さを収納から引き出しまで一律に維持することができるとともに、スライドレールの高さを収納から引き出しまで補助しているため、上ユニットと下ユニットとの高さ方向に間隔が変化せずに搬送ガイドの破損を防ぐことができる。
【００２３】
さらに、引き出したいユニットに各々キャスター付き支持脚を付け代える必要がないため、保守の作業時間を短縮することができて保守性が良い。
【００２４】
また、上下ユニット間で紙葉類が通るように構成した場合には、装置外へ同時に引き出した状態で用紙搬送評価、また双方のユニット間の搬送ガイドで発生するジャム除去ができて保守性が良い。
【００２５】
さらに、搬送ガイドのジャム除去を行う場合でも、特開平４−３２３４８０号公報のような強制的に同時引き出しを連動させる位置決め金具がなく、上ユニットを装置が転倒しない程度まで収納させることができ、搬送ガイドを確認することができるため、ジャム除去の際の保守性が良い。
【００２６】
また、装置の転倒を防止するために上ユニットを引き出すと同時に床面と接して転倒を防止しているキャスター付きの下ユニットが引き出される構造を採用しているが、特開平４−３２３４８０号公報に記載のユニット引き出し構造のような各々の引き出し部にロック機構が存在しないため、部品点数を少なくすることができる。
【００２７】
請求項２記載の発明は、装置筐体内に上下に配列された２つのユニットを引き出すため、上ユニットベースに固定された前記上ユニットを前記装置筐体内から外部に引き出すために設けられた左右一対のスライドレールと、下ユニットベースに固定された前記下ユニットを前記装置筐体内から外部に引き出すために設けられた左右一対のスライドレールと、前記下ユニットベースに装着されたキャスター付き支持脚とを備えたユニット引き出し構造において、前記上ユニットベースの左側と右側の各々を前記下ユニットの一対のスライドレールの左右のスライドレールの各々の固定側と一体化するとともに、前記下ユニットの前記装置筐体内からの引き出し長さを、前記上ユニットの全ストローク分の長さより長くなることを規制する規制手段を備えたことを特徴とする。
【００２８】
請求項２記載の発明によれば、前記上ユニットベースの左側と右側の各々を前記下ユニットの一対のスライドレールの左右のスライドレールの各々の固定側と一体化するとともに、下ユニットの前記装置筐体内からの引き出し長さを、前記上ユニットの全ストローク分の長さより長くなることを規制する規制手段を備えるため、上下の２つのユニットを同時に引き出した後に、さらに下ユニットが引き出されてしまうことを防止することができる。これによって、請求項１記載のユニット引き出し構造と同様の作用効果を奏することができる。
【００２９】
請求項３記載の発明は、請求項１または２記載のユニット引き出し構造において、前記下ユニットがプリンタユニットであって、前記上ユニットが、前記プリンタユニットに用紙を搬送する用紙搬送ユニットであることを特徴とする。
【００３０】
請求項３記載の発明によれば、プリンタ用紙を補充するために上下ユニットを同時に引き出すことは、引き出しに要する力が大きくなって操作性が悪い。そこで、用紙補充のためにプリンタのみを引き出し、後から用紙搬送ユニットを引き出して、用紙が確実に搬送されるか収納時に事前確認がいる場合でも、下ユニットを先に引き出した状態で、後から上ユニットを引き出しても、搬送ガイド部の干渉によるユニットの破損を防止することができる。
【００３１】
また、上下ユニットを同時に引き出した状態で搬送評価を行ったり、上下間の搬送ガイド部のジャムを除去したりすることができる。
【００３２】
【発明の実施の形態】
次に、本発明にかかるユニット引き出し構造の実施の形態の具体例を図面を参照しながら説明する。
【００３３】
図１は、本発明にかかるユニット引き出し構造の一実施例を示し、このユニット引き出し構造は、装置筐体１内に上下に並んだユニット２、５を引き出すためのものであって、上ユニット２は、上ユニットベース３に固定され、このユニットベース３の両側に一対のスライドレール４が備えられ、装置筐体１のフレームに固定されている。これによって、上ユニット２を装置筐体１の外側に円滑に引き出すことができる。
【００３４】
上ユニットベース３は左側を下方に延設し、下ユニット５の一対のスライドレール７の左側を取り付け可能としている。
【００３５】
下ユニット５は、下ユニットベース６に固定され、下ユニットベース６の左側に上ユニットベース３に取り付けられた下ユニット５用のスライドレール７を固定して、上ユニット２を引き出すと、下ユニット５も同時に引き出すことができるように構成されている。
【００３６】
そして、下ユニットベース６の右側のスライドレール７を装置筐体１フレームに固定することで、下ユニット５も装置筐体１の外部へ円滑に引き出すことができ、上ユニット２を引き出して下ユニット５も同時に引き出した時には、スライドレール７が最も引き出された位置となるため、両ユニット２、５を同時に引き出した状態からさらに下ユニット５を引き出すことができないように構成されている。
【００３７】
下ユニットベース６には、下ユニット５のみを引き出した時、また、上下ユニットが同時に引き出された時でも、装置の転倒を防止するための脚として、上下ユニット２、５の重量に耐えられるキャスター付き支持脚８が備えられる。
【００３８】
上下ユニット２、５を引き出すために用いられているスライドレール４、７の引き出し長さも、上下ユニット２、５の奥行きが、装置筐体１の奥行きと略々同じであって、ユニット奥行き寸法が長いため、装置筐体１の外部まで上下ユニット２、５を引き出すために、ユニット奥行き寸法以上の長いスライドレール４、７を用いている。
【００３９】
上下ユニット２、５間で、紙葉類が搬送される関係にある場合には、下ユニット５または上ユニット２から送られてくる紙葉類を搬送するため、上下ユニット２、５間に搬送ガイド９が連結されている。
【００４０】
連結されている搬送ガイド９は、上ユニット２及び下ユニット５の同時引き出し時以外の下ユニット５のみの引き出しでも、搬送ガイド９同士で干渉することなく、入れ子状態で間隔が開いている。
【００４１】
次に、上記構成を有するユニット引き出し構造の動作について、図面を参照しながら説明する。
【００４２】
図２は、下ユニット５のみを引き出した状態を示し、装置筐体１を中心に振り分けた左右断面図が描かれている。下ユニット５のスライドレール７の取り付けは、左断面図では、上ユニットベース３に取り付いているものの、上ユニット２が収納状態であるため、スライドレール７の固定部が装置筐体１内に位置している。
【００４３】
右断面図においても、下ユニット５のスライドレール７の取り付けは、装置筐体１フレームに固定されていることから、装置筐体１のフレームに位置している。
【００４４】
これによって、図示しない下ユニット５のロック機構を解除することにより、下ユニット５のみをスライドレール７の全ストローク引き出すことができ、例えば、下ユニット５がプリンタユニットの場合には、プリンタのみの引き出し操作で用紙補充、プリンタ内部のジャム除去、及び搬送ガイド９部のジャム除去が可能となる。
【００４５】
下ユニット５が引き出されたことによって装置重心が前方に移動し、装置が転倒してしまう危険性を回避するため、常に装着されているキャスター付き支持脚８が床面に対して転がり、下ユニット５の全ストローク引き出し時でも、装置筐体１の転倒を防止することができる。
【００４６】
図３は、上下ユニット２、５が同時に引き出された状態を示し、装置筐体１を中心に振り分けた左右断面図が描かれている。
【００４７】
図３（ａ）に示されるように、上ユニットベース３に下ユニット５のスライドレール７を取り付けたことにより、上ユニット２を図示しないロック機構の解除により引き出すと、下ユニット５のスライドレール７の固定側も移動し、下ユニット５も同時に引き出される。そこで、図３（ａ）のみで判断すると、上ユニット２を引き出して同時に下ユニット５が引き出された後に、さらに下ユニット５が出てしまうと、装置の保守エリアが増大するとともに、余分に引き出された分だけ、図４に示すように、ユニットの制御ケーブル１０が必要以上に長くなり、電気的機能に支障を来すため、図３（ｂ）に示すように、もう片方の下ユニット５のスライドレール７を装置筐体１フレームに固定して、装置筐体１フレームから定められたスライドレール７の全ストローク分の長さで引き出し長さを規制している。これによって、上ユニット２と下ユニット５が同時に引き出された状態から下ユニット５のみがさらに引き出されることを防ぎ、保守エリアの増大を防いでいる。
【００４８】
上下ユニット２、５が同時に引き出された時は、下ユニット５のみのユニット重量よりも大きく、装置重心がさらに前方に移動することによって装置が転倒する危険性を回避するため、下ユニット５の装着されているキャスター付き支持脚８が、引き出し長さの全ストーク分床面を転動し、上下ユニット２、５を支持している。
【００４９】
上述のように上下ユニット２、５が同時に引き出されることにより、装置の転倒を防いでいることから、例えば、顧客にプリンタ出力にて情報を提供する情報提供端末装置の場合、下ユニット５にプリンタユニットを搭載し、上ユニット２に用紙搬送ユニットを搭載した構成は、上下ユニットを同時に引き出した状態で搬送評価を行ったり、上下間の搬送ガイド９部のジャムを除去したりすることができる。
【００５０】
さらには、下ユニット５を引き出した後に、上ユニット２を引き出そうとする操作をしても、図３に示す上ユニットベース３に上下のスライドレール４、７が固定されて、スライドレール４、７間の高さを、収納から引き出し時まで一律に維持できるとともに、スライドレール４、７のたわみを上ユニットベース３で補助しているため、搬送ガイド９の破損を防止することができる。
【００５１】
図４は、本発明にかかるユニット引き出し構造のもう一つの実施例を示し、このユニット引き出し構造は、下ユニット５に接続されているケーブル１０に、装置引き出し長さに応じて形状が変形する柔軟性のある蛇腹状のケーブルダクト１１、１２（下ユニット５の引き出し長さを規制する規制手段）を有し、下ユニット５を引き出した状態のケーブルダクト１１は、ケーブル１０に引っ張り力のストレスを与えることなく突っ張る状態で装着されている。
【００５２】
一方、下ユニット５が装置筐体１内に収納されている状態のケーブルダクト１２は、弛んでいる状態である。
【００５３】
尚、下ユニット５のスライドレール７を両方とも、上ユニットベース３に取り付けるように構成した場合でも、上下同時に引き出した後に、さらに下ユニット５が引き出てしまうことを前記ケーブルダクト１１によって規制しているため、保守エリアの増大を防止することができ、本発明の全ての目的を達成できる。
【００５４】
【発明の効果】
以上説明したように、本発明によれば、装置が前方に転倒するおそれがなく、短時間でユニットを引き出すことができ、上下ユニット間で紙葉類が通る構成の場合でもジャム除去等の保守が容易で、上ユニットのスライドレール等の破損を防止することができ、部品点数が少なく簡易な構成を有するユニット引き出し構造を提供することができる。
【図面の簡単な説明】
【図１】本発明にかかるユニット引き出し構造の一実施例を示す図であって、（ａ）は正面図、（ｂ）は（ａ）のＡ−Ａ線断面図、（ｃ）は（ａ）のＢ−Ｂ線断面図である。
【図２】図１のユニット引き出し構造の下ユニットのみを引き出した状態を示す図であって、（ａ）は左断面図、（ｂ）は右断面図である。
【図３】図１のユニット引き出し構造の上下ユニットを引き出した状態を示す図であって、（ａ）は左断面図、（ｂ）は右断面図である。
【図４】本発明にかかるユニット引き出し構造のもう一つの実施例を示す図であって、（ａ）は正面図、（ｂ）は（ａ）のＣ−Ｃ線断面図である。
【図５】従来のユニット引き出し構造の一例を示す図であって、（ａ）は正面図、（ｂ）は（ａ）のＤ−Ｄ線断面図である。
【図６】図５のユニット引き出し構造の下ユニットのみを引き出した状態を示す断面図である。
【図７】図５のユニット引き出し構造の上ユニットのみを引き出した状態を示す断面図である。
【図８】図５のユニット引き出し構造の上下ユニットを引き出した状態を示す断面図である。
【図９】従来のユニット引き出し構造の他の例を示す外観斜視図である。
【符号の説明】
１      装置筐体
２      上ユニット
３      上ユニットベース
４      （上ユニット用）スライドレール
５      下ユニット
６      下ユニットベース
７      （下ユニット用）スライドレール
８      キャスター付き支持脚
９      搬送ガイド
１０    下ユニットのケーブル
１１    ケーブルダクト（下ユニットが引き出された状態）
１２    ケーブルダクト（下ユニットが収納された状態）
【図１】
0003921335.tif 000002
【図２】
0003921335.tif 000003
【図３】
0003921335.tif 000004
【図４】
0003921335.tif 000005
【図５】
0003921335.tif 000006
【図６】
0003921335.tif 000007
【図７】
0003921335.tif 000008
【図８】
0003921335.tif 000009
【図９】
0003921335.tif 000010